(57)【要約】【課題】シート状物を１枚ずつ摘みやすい収容箱入りシート状物を提供する。【解決手段】収容箱入りシート状物１は、シート状物１１が積層されたシート状物群１０と、シート状物群１０が巻かれた芯体２０と、芯体２０に巻かれたシート状物群１０が収容された収容箱３０とを備える。収容箱３０は、シート状物１１を収容箱３０の外側に取り出す取出口３１ｈが形成される取出口形成面３１と、取出口３１ｈに実質的に接する態様で取出口形成面３１と交差する取出口隣接面３２とを有する。芯体２０は、取出口形成面３１から離れる方向に凹んだ凹み２０ｄが形成されている。而して、取出口隣接面３２を挟むように指を入れて芯体２０の一部を摘むようにしてシート状物１１を引き出せるので、シート状物１１が引き出しやすくなる。【選択図】図１
2015105133.tif 000002
【特許請求の範囲】
【請求項１】
シート状物が積層されたシート状物群と；
前記シート状物群が巻かれた芯体と；
前記芯体に巻かれた前記シート状物群が収容された収容箱とを備え；
前記収容箱は、前記シート状物を前記収容箱の外側に取り出す取出口が形成される取出口形成面と、前記取出口に実質的に接する態様で前記取出口形成面と交差する取出口隣接面とを有し；
前記芯体は、前記取出口形成面から離れる方向に凹んだ凹みが形成された；
収容箱入りシート状物。
【請求項２】
前記収容箱が直方体に形成され；
前記芯体が、薄板状部材を折り曲げ加工して形成され；
前記芯体は、前記取出口形成面と前記取出口隣接面との交線である取出口交線に平行に谷折りされた谷部が形成され、前記谷部に平行な前記薄板状部材の端辺が前記取出口交線に近接し、前記谷部が前記取出口形成面に対向する取出口対向面に近接して配置されることで、前記凹みが形成されるように構成された；
請求項１に記載の収容箱入りシート状物。
【請求項３】
前記芯体が、矩形の前記薄板状部材を、端辺に平行に谷折りして形成された前記谷部と、端辺に平行に山折りして形成された山部とを有し；
前記芯体は、前記山部に対して前記谷部とは反対側の前記薄板状部材の遠方端辺が、前記取出口隣接面に対向する面と前記取出口対向面との交線に近接して配置された；
請求項２に記載の収容箱入りシート状物。
【請求項４】
前記収容箱が、前記取出口隣接面に、前記取出口と連続した開口が形成されるように構成された；
請求項１乃至請求項３のいずれか１項に記載の収容箱入りシート状物。
【発明の詳細な説明】
【技術分野】
【０００１】
本発明は収容箱入りシート状物に関し、特に１枚ずつ摘みやすい収容箱入りシート状物に関する。
【背景技術】
【０００２】
例えば家庭の台所等で使用されるポリ袋（シート状物）は、多数枚が束になって小売りされている。このような多数枚が束になって小売りされるポリ袋として、周側面に開口用のミシン目を設けた樹脂製内袋に、多数のポリ袋を上下に重ね合せて折り畳んで収容して密封体を構成し、該密封体を収納した直方体状の厚紙製包装箱の、前記ミシン目が臨む直上位置に対応する上面中央部に、ポリ袋取出口形成用のミシン目で囲んだ区画部を設けた構成とするものがある（例えば、特許文献１参照。）。
【先行技術文献】
【特許文献】
【０００３】
【特許文献１】特開２００６−２９８４１６号公報（段落０００５、図２等）
【発明の概要】
【発明が解決しようとする課題】
【０００４】
しかしながら、直方体状の包装箱の上面中央にポリ袋取出口が形成されたものは、ポリ袋取出口に表れるポリ袋の平面部分を摘むことになるため、滑って摘みにくかったり、複数枚を摘んで取り出してしまう場合があった。
【０００５】
本発明は上述の課題に鑑み、シート状物を１枚ずつ摘みやすい収容箱入りシート状物を提供することを目的とする。
【課題を解決するための手段】
【０００６】
上記目的を達成するために、本発明の第１の態様に係る収容箱入りシート状物は、例えば図１（Ｂ）に示すように、シート状物１１が積層されたシート状物群１０（例えば図２参照）と；シート状物群１０が巻かれた芯体２０と；芯体２０に巻かれたシート状物群１０が収容された収容箱３０とを備え；収容箱３０は、シート状物１１を収容箱３０の外側に取り出す取出口３１ｈが形成される取出口形成面３１と、取出口３１ｈに実質的に接する態様で取出口形成面３１と交差する取出口隣接面３２とを有し；芯体２０は、取出口形成面３１から離れる方向に凹んだ凹み２０ｄが形成されている。
【０００７】
このように構成すると、取出口隣接面を挟むように指を入れて芯体の一部を摘むようにしてシート状物を引き出せるので、シート状物が引き出しやすくなる。
【０００８】
また、本発明の第２の態様に係る収容箱入りシート状物は、例えば図１に示すように、上記本発明の第１の態様に係る収容箱入りシート状物１において、収容箱３０が直方体に形成され；芯体２０が、薄板状部材を折り曲げ加工して形成され；芯体２０は、取出口形成面３１と取出口隣接面３２との交線である取出口交線３８に平行に谷折りされた谷部２２が形成され、谷部２２に平行な薄板状部材の端辺２８が取出口交線３８に近接し、谷部２２が取出口形成面３１に対向する取出口対向面３３に近接して配置されることで、凹み２０ｄが形成されるように構成されている。
【０００９】
このように構成すると、製造容易となる。
【００１０】
また、本発明の第３の態様に係る収容箱入りシート状物は、例えば図１に示すように、上記本発明の第２の態様に係る収容箱入りシート状物１において、芯体２０が、矩形の薄板状部材を、端辺２８に平行に谷折りして形成された谷部２２と、端辺２８に平行に山折りして形成された山部２４とを有し；芯体２０は、山部２４に対して谷部２２とは反対側の薄板状部材の遠方端辺２９が、取出口隣接面３２に対向する面３４と取出口対向面３３との交線３９に近接して配置されている。
【００１１】
このように構成すると、芯体に巻かれたシート状物群の収容箱内における遊びを抑制することができると共に、シート状物群を山部の裏側にも充填することができるためにシート状物の充填量の減少を抑制することができる。
【００１２】
また、本発明の第４の態様に係る収容箱入りシート状物は、例えば図１に示すように、上記本発明の第１の態様乃至第３の態様のいずれか１つの態様に係る収容箱入りシート状物１において、収容箱３０が、取出口隣接面３２に、取出口３１ｈと連続した開口３２ｈが形成されるように構成されている。
【００１３】
このように構成すると、シート状物の摘みやすさが向上する。
【発明の効果】
【００１４】
本発明によれば、取出口隣接面を挟むように指を入れて芯体の一部を摘むようにしてシート状物を引き出せるので、シート状物が引き出しやすくなる。
【図面の簡単な説明】
【００１５】
【図１】本発明の実施の形態に係る箱入りポリ袋を示す図である。（Ａ）は斜視図、（Ｂ）は側面断面図である。
【図２】本発明の実施の形態に係る箱入りポリ袋が備えるポリ袋及びポリ袋群の斜視図である。
【図３】本発明の実施の形態に係る箱入りポリ袋が備える芯体を説明する図である。（Ａ）は芯体の原紙の平面図、（Ｂ）は芯体の斜視図である。
【図４】ポリ袋群を芯体に巻く手順を示す側面図である。
【発明を実施するための形態】
【００１６】
以下、図面を参照して本発明の実施の形態について説明する。なお、各図において互いに同一又は相当する部材には同一あるいは類似の符号を付し、重複した説明は省略する。
【００１７】
まず図１を参照して、本発明の実施の形態に係る収容箱入りシート状物としての箱入りポリ袋１を説明する。図１は、箱入りポリ袋を示す図であり、（Ａ）は斜視図、（Ｂ）は側面断面図である。箱入りポリ袋１は、シート状物としてのポリ袋１１が多数積層されたシート状物群としてのポリ袋群１０と、芯体２０と、芯体２０に巻かれたポリ袋群１０を収容する収容箱３０とを備えている。箱入りポリ袋１は、ポリ袋群１０が、芯体２０に巻かれたうえで、収容箱３０に収容されて構成されている。
【００１８】
図２を参照して、ポリ袋１１及びポリ袋群１０について説明する。図２は、ポリ袋１１及びポリ袋群１０の斜視図である。ポリ袋１１は、ポリエチレンの薄膜で作られた袋であり、閉じられた状態において矩形（長方形又は正方形）でシート状の外観を呈している。ポリ袋１１は、本実施の形態では、長方形の外観を呈しており、長方形の短辺に対応する両端辺の一方が開口側の辺である開口辺１１ａに、他方が底辺１１ｂになっている。ポリ袋１１の、長方形の長辺に対応する一対の辺である側辺１１ｃは、襠がついていてもよい。ポリ袋１１は、開口が閉じられた状態において自立性がなく、畳むように変形させても復元せずに、支持される物体に沿った形を維持するように構成されている。ポリ袋群１０は、所定の枚数のポリ袋１１が、広げられた状態で揃えられて構成されている。つまり、ポリ袋群１０の一辺は、各ポリ袋１１の開口辺１１ａが揃っており、これに対向する一辺は底辺１１ｂが揃っている。ポリ袋群１０を構成するポリ袋１１の所定の枚数は、箱入りポリ袋１（図１参照）を流通に置く際に収容箱３０（図１参照）に収容される枚数であり、消費者のニーズに合わせて、例えば、２０枚、３０枚、５０枚、１００枚、１５０枚、２００枚等とすることができ、これら以外の任意の枚数でもよい。
【００１９】
図３を参照して、芯体２０について説明する。図３は、芯体２０を説明する図であり、（Ａ）は芯体２０の原紙２０ｂの平面図、（Ｂ）は芯体２０の斜視図である。図３（Ａ）に示すように、原紙２０ｂは、薄板状部材の一形態である長方形の板紙で形成されている。原紙２０ｂを形成する長方形の長辺２０ｂＬの長さは、本実施の形態では、ポリ袋１１の開口辺１１ａの長さの０．９０〜０．９５倍に形成されているが、開口辺１１ａの長さ以上でもよく、開口辺１１ａの長さの０．９倍未満でもよい。しかしながら、原紙２０ｂの長辺２０ｂＬの長さは、後述する収容箱３０の取出口３１ｈの幅よりも大きいことが好ましい。原紙２０ｂには、原紙２０ｂの短辺２０ｂＳの方向で３等分するように、谷折線２０ｂｖ及び山折線２０ｂｍの合計２本の折曲線が罫書かれている。谷折線２０ｂｖ及び山折線２０ｂｍは、共に、長辺２０ｂＬに平行に罫書かれている。原紙２０ｂを、谷折線２０ｂｖに沿って谷折りし、山折線２０ｂｍに沿って山折りすると、図３（Ｂ）に示す芯体２０となる。
【００２０】
芯体２０は、谷折線２０ｂｖに対応する部分が谷部２２となり、山折線２０ｂｍに対応する部分が山部２４となる。芯体２０では、原紙２０ｂにおける一対の長辺２０ｂＬのうち、谷部２２に近い方が薄板状部材の端辺としての近接端辺２８となり、山部２４に近い方が遠方端辺２９となる。芯体２０は、山部２４と近接端辺２８との間に、谷部２２に向かって凹んだ凹み２０ｄが形成されている。芯体２０の、谷部２２を挟む２つの面の角度、及び山部２４を挟む２つの面の角度は、典型的には概ね直角であるが、収容箱３０（図１参照）の大きさに応じて、鋭角あるいは鈍角であってもよい。
【００２１】
図４を参照して、ポリ袋群１０の芯体２０への巻き付け方を説明する。図４は、ポリ袋群１０を芯体２０に巻く手順を示す側面図である。まず、図４（Ａ）に示すように、広げたポリ袋群１０の上に芯体２０を載置する。このとき、本実施の形態では、近接端辺２８をポリ袋１１の底辺１１ｂ側、遠方端辺２９を開口辺１１ａ側に向け、山部２４及び近接端辺２８がポリ袋群１０に接するように、かつ、近接端辺２８が底辺１１ｂに概ね平行になるようにして、ポリ袋１１の側辺１１ｃ（図２参照）における中央付近でポリ袋群１０の上に芯体２０を載置している。なお、側辺１１ｃにおける中央よりも開口辺１１ａ寄りでポリ袋群１０の上に芯体２０を載置してもよい。次に、開口辺１１ａ側のポリ袋群１０の端を持ち上げて、ポリ袋群１０を芯体２０に覆い被せるように折り返したうえで、底辺１１ｂ付近に載置する（図４（Ｂ）参照）。このとき、開口辺１１ａを、底辺１１ｂに揃えずに、底辺１１ｂよりも内側（芯体２０がある側）にずらしてポリ袋群１０の面に載置するとよい。次に、芯体２０を覆った状態のポリ袋群１０を、ポリ袋群１０の折り返された側（開口辺１１ａ及び底辺１１ｂとは反対側）で、芯体２０を挟んだまま持ち上げて、芯体２０をひっくり返すようにして、芯体２０を挟んだポリ袋群１０の部分を開口辺１１ａ付近のポリ袋群１０の部分に載置する（図４（Ｃ）参照）。このようにして、収容箱３０（図１参照）に収容される状態の、芯体２０に巻かれたポリ袋群１０が形成される。芯体２０をひっくり返すとき、ポリ袋群１０の厚みの影響で、開口辺１１ａ付近のポリ袋群１０の部分が底辺１１ｂに向かって移動するが、芯体２０に巻かれたポリ袋群１０となったときに、開口辺１１ａと底辺１１ｂとが揃うようにするとよい。このことを考慮して、図４（Ｂ）に示すようにポリ袋群１０を芯体２０に覆い被せるように折り返したときに、芯体２０をひっくり返した際に開口辺１１ａが移動する分だけ、前もって開口辺１１ａを底辺１１ｂからずらして載置するとよい。
【００２２】
上述のように形成された、芯体２０に巻かれたポリ袋群１０は、開口辺１１ａ及び底辺１１ｂが揃って芯体２０の下方に位置している。そして、芯体２０の遠方端辺２９が、開口辺１１ａ及び底辺１１ｂに近接している。また、芯体２０に形成された凹み２０ｄは、上向きに開放している。上述のように、ポリ袋１１は、自立性がなく、支持される物体に沿って変形しても復元せずに、支持体（芯体２０）に沿った形を維持するため、凹み２０ｄの上方のポリ袋群１０は、概ね凹み２０ｄに沿って落ち込んでいる。ここで概ね凹み２０ｄに沿うといったのは、ポリ袋群１０は厚みがあるため、凹み２０ｄにぴったり沿って変形せずに、凹み２０ｄの形状に近づくように変形するためである。
【００２３】
再び図１に戻って、収容箱３０について説明する。収容箱３０は、本実施の形態では、直方体状に形成されている。収容箱３０は、本実施の形態では、型抜きされた板紙が、適宜、折り曲げ、接着されて、直方体状に形成されている。収容箱３０は、取出口形成面としての上面３１と、取出口隣接面としての前面３２と、取出口対向面としての底面３３と、背面３４と、一対の端面３５とを有している。前面３２は、上面３１に直交して設けられている。底面３３は、上面３１に対向すると共に前面３２に直交している。背面３４は、前面３２に対向すると共に上面３１及び底面３３に直交してしる。端面３５は、直方体の端面に対応する。上面３１と前面３２との交線である上前交線３８は、取出口交線に相当する。また、底面３３と背面３４との交線を底背交線３９ということとする。収容箱３０は、底面３３が台（不図示）等の平面に載置されるのが標準である。
【００２４】
収容箱３０は、幅３０Ｗがポリ袋１１の開口辺１１ａ（図２参照）の長さ（底辺１１ｂの長さと同じ）よりもやや大きく、奥行き３０Ｄ及び高さ３０Ｈが、それぞれ、芯体２０に巻かれたポリ袋群１０（図４（Ｃ）参照）の奥行き及び高さよりもやや大きく形成されている。ここでいう「やや大きい」とは、芯体２０に巻かれたポリ袋群１０が収容箱３０に収容されたときに、芯体２０に巻かれたポリ袋群１０に収容箱３０からの過度な反力が作用せず、芯体２０に巻かれたポリ袋群１０が収容箱３０の中で動きすぎない大きさである。また、図１（Ｂ）に示すように、前面３２の裏側には、底面３３に連続して底面３３から直角に延びる接続代３２ｒが設けられている。接続代３２ｒの高さは、収容箱３０の高さの概ね１／２となっている。
【００２５】
収容箱３０は、取出口３１ｈを上面３１に形成することができ、前面３２に前面開口３２ｈを形成することができるように構成されている。図１では、蓋部３０ｃが開けられて取出口３１ｈ及び前面開口３２ｈが形成された状態を示しているが、箱入りポリ袋１が流通に置かれているときは、蓋部３０ｃの蓋上面３１ｃが上面３１に接続されており、蓋前面３２ｃが前面３２に接続されている。以下に取出口３１ｈ及び前面開口３２ｈの説明をするのに際し、説明の便宜上、蓋部３０ｃが開けられている状態を基に説明する。
【００２６】
取出口３１ｈは、上面３１に、上前交線３８に接する態様で形成されている。取出口３１ｈは、上面３１と同じ方向に長い、長方形に形成されている。つまり、取出口３１ｈを形成する長方形の長辺が、上前交線３８に接している。取出口３１ｈは、本実施の形態では、長辺が、収容箱３０の幅３０Ｗの概ね１／２、短辺が、収容箱３０の奥行き３０Ｄの概ね１／２に形成されているが、この大きさに限らず、ポリ袋１１や収容箱３０の大きさに応じて、ポリ袋１１の取り出しが困難にならず、かつ、芯体２０に巻かれたポリ袋群１０が飛び出すことのない大きに適宜形成することができる。例えば、収容箱３０の奥行き３０Ｄが比較的大きい場合（例えば６０ｍｍから９０ｍｍに拡張した場合）取出口３１ｈの短辺を収容箱３０の奥行き３０Ｄの概ね１／３としてもよく、あるいは、収容箱３０の大きさにかかわらず、取出口３１ｈの大きさを１００ｍｍ×３０ｍｍとしてもよい。取出口３１ｈは、上前交線３８において、その中央に形成されている。取出口３１ｈを形成する長方形の、上前交線３８とは反対側の長辺に相当する部分は、回動軸線３１ａとなっている。上面３１は、取出口３１ｈを形成する長方形の一対の短辺に相当する部分に、上面切込３１ｐが形成されている。
【００２７】
前面開口３２ｈは、前面３２に、取出口３１ｈに連続して形成されている。つまり、前面開口３２ｈは、上前交線３８に接している。前面開口３２ｈは、上前交線３８に接する部分を下底とする等脚台形状に形成されている。前面開口３２ｈの等脚台形状の上底に対応する部分は、接続代３２ｒの上端辺に表れており、本実施の形態では、下底の長さの概ね１／２となっている。前面３２は、前面開口３２ｈの等脚台形状の両脚が底面３３に向かって互いに近づくように延びた後、底面３３から見て収容箱３０の高さの概ね１／３の位置で、上前交線３８に対して直角の方向に向きを変えて底面３３に至る前面切込３２ｐが形成されている。一対の前面切込３２ｐが斜めから垂直に向きを変える部分の間の接続代３２ｒには、蓋部３０ｃの蓋前面３２ｃの一部である先端３２ｃｔが差し込まれる差切込３２ｓが形成されている。差切込３２ｓは、上面３１の側に凸の半円状に形成されている。
【００２８】
蓋部３０ｃは、蓋上面３１ｃと、蓋前面３２ｃとから構成されている。上述のように、蓋前面３２ｃには、先端３２ｃｔが含まれている。蓋部３０ｃは、直方体の収容箱３０の上面３１及び前面３２を、上面切込３１ｐ及び前面切込３２ｐで切断することで形成されるようになっている。上面切込３１ｐ及び前面切込３２ｐで切断されて蓋部３０ｃが形成され、回動軸線３１ａにおいて蓋部３０ｃが収容箱３０の外側に回動されることで、取出口３１ｈ及び前面開口３２ｈが形成されるようになっている。上面切込３１ｐ及び前面切込３２ｐが切断される前は、上面切込３１ｐ及び前面切込３２ｐがミシン目となっており、蓋上面３１ｃは上面３１と同一面で、蓋前面３２ｃは前面３２と同一面で、それぞれ一体になっている。一旦蓋部３０ｃが形成された後は、先端３２ｃｔを差切込３２ｓに入れることで、蓋部３０ｃが閉じられた状態を維持することができるように構成されている。
【００２９】
箱入りポリ袋１は、芯体２０に巻かれたポリ袋群１０が、収容箱３０に、以下のような態様で収容されて構成されている。芯体２０に巻かれたポリ袋群１０は、図１（Ｂ）に示すように、側面視において、近接端辺２８が上前交線３８に近接し、遠方端辺２９が底背交線３９に近接するように配置されている。ここで、「近接」しているというのは、収容箱３０の当該部位に対し、芯体２０の当該部位が最も近いことを意味しており、例えば、近接端辺２８が上前交線３８に近接しているというのは、収容箱３０の上前交線３８に対して芯体２０の部位のうち近接端辺２８が最も近いことを意味している。なお、近接端辺２８と上前交線３８との間、及び遠方端辺２９と底背交線３９との間には、ポリ袋群１０が介在しているため、近接端辺２８と上前交線３８、及び遠方端辺２９と底背交線３９とは、それぞれ接触していない。なお、図１（Ｂ）では、便宜上、ポリ袋群１０を単線で示しているが、ポリ袋１１が取り出される前のポリ袋群１０は、図４（Ｃ）に示すように厚みがある。
【００３０】
芯体２０に巻かれたポリ袋群１０が収容箱３０に収容されたとき、直方体の収容箱３０の上前交線３８及び底背交線３９に対し、芯体２０の近接端辺２８及び遠方端辺２９は平行に延びており、谷部２２及び山部２４もまた平行に延びている。このとき、谷部２２は底面３３に近接して配置されることとなる。このことにより、芯体２０の凹み２０ｄは、上面３１から離れる方向に凹むこととなる。また、凹み２０ｄは、上前交線３８に対して平行に延びて、前面３２寄りに形成されることとなる。ここで、凹み２０ｄが前面３２寄りに形成されるとは、典型的には、平面視において、上面３１を奥行き３０Ｄ方向で２等分したとき、すなわち上面３１を上前交線３８に平行な仮想線で２等分したときの、前面３２に近い側に凹み２０ｄが形成されていることをいう。
【００３１】
上述のように構成された箱入りポリ袋１は、最初にポリ袋１１が使用される際に、収容箱３０が上面切込３１ｐ及び前面切込３２ｐに沿って切断され、蓋部３０ｃが形成される。蓋部３０ｃは、回動軸線３１ａまわりに動いて取出口３１ｈ及び前面開口３２ｈを開閉することができ、閉じたときに先端３２ｃｔを前面切込３２ｐに差し込むことで、蓋部３０ｃを閉じた状態を維持することができる。そして、ポリ袋１１を収容箱３０から取り出す際は、蓋部３０ｃを開けると、芯体２０の近接端辺２８の周囲を巻くようにして収容されているポリ袋群１０が取出口３１ｈから見えるので、人差し指及び／又は中指を凹み２０ｄに入れ、親指を前面開口３２ｈ部分に当てて、人差し指及び／又は中指と、親指とで、ポリ袋１１を挟むようにして摘む。このとき、ポリ袋群１０が、近接端辺２８まわりに鋭角に巻かれているので、従来の上面中央に形成された取出口から見えるポリ袋の平面部分を摘む場合に比べて、ポリ袋１１を摘む際の人差し指及び／又は中指と親指との間隔が小さくて済み、格段にポリ袋１１を摘みやすい。そして、人差し指及び／又は中指と親指との間隔が小さくて済むので、ポリ袋１１を取出口３１ｈから引き出す際の、人差し指及び／又は中指と親指とを、芯体２０に巻かれたポリ袋群１０に押し付ける力が小さくて済み、ポリ袋群１０から１枚のポリ袋１１のみを容易に分離させることができる。このようにして、ポリ袋１１を収容箱３０から１枚ずつ必要な枚数だけ取り出すことができる。
【００３２】
以上で説明したように、箱入りポリ袋１によれば、ポリ袋群１０が巻かれた芯体２０に凹み２０ｄが形成され、芯体２０に巻かれたポリ袋群１０が、凹み２０ｄが上面３１から離れる方向に凹んだ状態、かつ、近接端辺２８まわりに鋭角に巻かれたポリ袋群１０が取出口３１ｈ及び前面開口３２ｈから見える状態で、収容箱３０に収容されているので、ポリ袋１１を摘みやすく、ポリ袋群１０から１枚のポリ袋１１のみを容易に分離して取り出すことができる。
【００３３】
以上の説明では、シート状物（シート状物群）がポリ袋１１（ポリ袋群１０）であるとしたが、シンクにセットされる水切り袋や、食品等の密封保存に適したジッパー付のストックバッグ等の、芯体２０等の支持される物体の外形に沿って変形を維持できる自立性がないものであってもよい。
【００３４】
以上の説明では、芯体２０が、板紙を折り曲げ加工して形成されているとしたが、樹脂や金属で形成されていてもよい。また、芯体２０が、薄板状の部材が折り曲げられて谷部２２及び山部２４が形成されたものとしたが、凹みが形成されたものであれば、山部２４が形成されていないものでもよく、薄板状の部材が加工されたもの以外の例えば合成樹脂を射出成形したもので厚みがあるものであってもよい。しかしながら、芯体２０が、板紙を折り曲げ加工して谷部２２及び山部２４が形成されたものとすると、簡便に形成できて軽量化を図ることができると共に、ポリ袋群１０が巻かれた芯体２０が底面３３上にポリ袋群１０を介して谷部２２の裏側及び遠方端辺２９で支持されることとなるため、ポリ袋群１０を構成するポリ袋１１の枚数が少なくなってきても芯体２０が横転してしまうことを抑制することができるため好ましい。
【００３５】
以上の説明では、収容箱３０が直方体状に形成されていることとしたが、水平断面が三角形や五角形等の多角形に形成された筒状や、円筒状あるいは楕円筒状に形成されていてもよい。
【００３６】
以上の説明では、取出口３１ｈが、上前交線３８に接する態様で形成されているとしたが、厳密に上前交線３８に接していなくても、実質的に接する態様であればよい。ここで、実質的に接する態様とは、人差し指及び／又は中指と親指とを自然に開いた状態（隣接する指の付け根の山（中手指節関節）の間に形成される谷がなくならない状態）で、前面３２（ここでは前面開口３２ｈも前面３２と取り扱う）を摘める状況にあることをいう。また、取出口３１ｈが長方形に形成されているとしたが、長方形以外の三角形状や五角形状等の多角形状でもよく、あるいは半円状や楕円状に形成されていてもよい。
【００３７】
以上の説明では、取出口３１ｈに連続して前面開口３２ｈが形成されているとしたが、前面開口３２ｈが形成されていなくてもよい。前面開口３２ｈが形成されていないと、収容箱３０の強度の低下を抑制することができる。前面開口３２ｈが形成されていない場合、収容箱３０からポリ袋１１を取り出す際は、一般に、人差し指及び／又は中指をポリ袋１１に接触させて人差し指及び／又は中指でポリ袋群１０から１枚のポリ袋１１を分離させて取り出すことになる。他方、前面開口３２ｈが形成されている場合、人差し指及び／又は中指と親指とをポリ袋１１に接触させ、人差し指及び／又は中指と親指とでポリ袋１１を摘んでポリ袋群１０から分離させることができるので、ポリ袋１１を取り出しやすいという利点がある。
【００３８】
以上の説明では、凹み２０ｄが、平面視において、前面３２寄りに形成されていることとしたが、奥行き３０Ｄ方向に２等分する位置に形成されていてもよく、背面３４寄りに形成されていてもよい。しかしながら、前面３２寄りに形成されていると、人差し指及び／又は中指と親指とを過度に開くことなく、近接端辺２８まわりに巻かれたポリ袋群１０を摘むことができるため好ましい。
【符号の説明】
【００３９】
１    箱入りポリ袋
１０  ポリ袋群
１１  ポリ袋
２０  芯体
２０ｄ  凹み
２２  谷部
２４  山部
２８  近接端辺
２９  遠方端辺
３０  収容箱
３１  上面
３１ｈ  取出口
３２  前面
３２ｈ  前面開口
３３  底面
３４  背面
３８  上前交線
３９  底背交線
【図１】
2015105133.tif 000003
【図２】
2015105133.tif 000004
【図３】
2015105133.tif 000005
【図４】
2015105133.tif 000006